(57)【要約】【課題】表示部を使用者の身長や立ち位置に合わせて見やすい角度で表示させることができ、使用者にとって表示が見やすく使い勝手の良い誘導加熱調理器を提供すること。【解決手段】トッププレート３の下方に配置され鍋２を加熱する加熱コイル４と、加熱コイル４に高周波電流を供給するインバータ回路５と、インバータ回路５の出力を制御する制御手段６と、インバータ回路動作の開始や停止、出力レベルの変更を行うための操作手段７と、現在のインバータ回路５の出力レベルを表示する表示手段８と、垂直方向の高さが検知可能な使用者の身長を検知する高さ検知手段９と、高さ検知手段９の検知結果に応じて、前記表示手段８の角度を変更する角度変更手段１１を備えたことにより、使用者の身長や立ち位置に合わせて見やすい角度にて表示させることができる。【選択図】図１
2010267478.tif 000002
【特許請求の範囲】
【請求項１】
機器の外郭を構成する本体と、前記本体の上面に配置される鍋を載置するトッププレートと、前記トッププレートの下方に配置され前記鍋を加熱する加熱コイルと、前記加熱コイルに高周波電流を供給するインバータ回路と、前記インバータ回路の出力を制御する制御手段と、前記インバータ回路動作の開始や停止、出力レベルの変更を行うための操作手段と、現在のインバータ回路の出力レベルを表示する表示手段と、垂直方向の高さが検知可能な使用者の身長を検知する高さ検知手段と、前記高さ検知手段の検知結果に応じて、前記表示手段の角度を変更する角度変更手段とを備えた誘導加熱調理器。
【請求項２】
高さ検知手段は本体前面に配置された赤外線センサにより構成し、床面から所定の高さ以上の人体による赤外線に反応する構成とした請求項１に記載の誘導加熱調理器。
【請求項３】
高さ検知手段は本体前面に配置された複数の赤外線センサにより構成し、床面から所定の高さ以上の人体による赤外線に反応する赤外線センサＡと、床面から所定の高さ以下の人体による赤外線に反応する赤外線センサＢとから構成した請求項１または２に記載の誘導加熱調理器。
【請求項４】
表示手段に液晶と、前記液晶を透過させ見やすく光らせるバックライトと、本体前面に本体周辺の明るさを検知する照度センサからなる照度検知手段とを備え、明るさに応じて表示手段のバックライトの明るさを変更するとした請求項１に記載の誘導加熱調理器。
【発明の詳細な説明】
【技術分野】
【０００１】
本発明は、一般家庭で使用する誘導加熱調理器において、使用者の身長の高さに応じて表示部の角度を変更する誘導加熱調理器に関するものである。
【背景技術】
【０００２】
従来、この種の誘導加熱調理器は、使用者の平均身長及び操作位置を想定して、操作部にある表示部の角度や液晶の視野角を設定していた（例えば、特許文献１参照）。
【０００３】
図６は、特許文献１に記載された従来の誘導加熱調理器の全体構成図を示すものである。図６に示すように、商用電源をＯＮ／ＯＦＦする電源ＳＷ１０１と、鍋１０３などの被加熱物を載置するためのトッププレート１０２と、トッププレート１０２の下方に加熱コイル１０４とが配置されている。機器本体内部には、加熱コイル１０４に高周波電流を供給するインバータ回路１０５と、インバータ回路の出力を制御する制御手段を備え、トッププレート１０２の前面に、各種スイッチ及び表示部を備えた天面操作表示部１０６を備えている。使用者により、各バーナーに対する加熱出力の設定がなされると制御手段は、その設定された加熱出力となるようにインバータ回路１０５の出力を制御するとともに、天面操作表示部１０６に加熱出力の火力レベル等の状態を表示させ、バックライトにて表示部の液晶を透過させ、使用者に見えやすくなるような構成としていた。
【先行技術文献】
【特許文献】
【０００４】
【特許文献１】特開２００５−２６８２０８号公報
【発明の概要】
【発明が解決しようとする課題】
【０００５】
しかしながら、前記従来の構成では、誘導加熱調理器の天面操作表示部に使用している液晶は視野角を有しており、液晶正面から見て下方向に３０度程度しか視野角を有しておらず、その範囲を超えてしまうと表示が見にくくなる。
【０００６】
使用者の平均身長や調理器を操作するときの立ち位置をあらかじめ想定して配置を行っているが、背の低い使用者や調理器から離れて操作する場合、表示が見にくくなるという課題を有していた。
【０００７】
本発明は、前記従来の課題を解決するもので、使用者の身長や立ち位置に合わせて見やすい角度にて表示させることができ、使用者にとって表示が見やすく使い勝手の良い誘導加熱調理器を提供することを目的とする。
【課題を解決するための手段】
【０００８】
前記従来の課題を解決するために、本発明の誘導加熱調理器は、機器の外郭を構成する本体と、前記本体の上面に配置される鍋を載置するトッププレートと、前記トッププレートの下方に配置され前記鍋を加熱する加熱コイルと、前記加熱コイルに高周波電流を供給するインバータ回路と、前記インバータ回路の出力を制御する制御手段と、前記インバータ回路動作の開始や停止、出力レベルの変更を行うための操作手段と、現在のインバータ回路の出力レベルを表示する表示手段と、垂直方向の高さが検知可能な使用者の身長を検知する高さ検知手段と、前記高さ検知手段の検知結果に応じて、前記表示手段の角度を変更する角度変更手段とを備えたものである。
【０００９】
これによって、表示部を使用者の身長や立ち位置に合わせて見やすい角度にて表示させることができ、使用者にとって表示が見やすく使い勝手の良い誘導加熱調理器を提供することができる。
【発明の効果】
【００１０】
本発明の誘導加熱調理器は、表示部を使用者の身長や立ち位置に合わせて見やすい角度で表示させることができるため、使用者にとって表示が見やすく使い勝手の良い誘導加熱調理器を提供することができる。
【図面の簡単な説明】
【００１１】
【図１】本発明の実施の形態１における誘導加熱調理器のブロック図
【図２】本発明の実施の形態１における誘導加熱調理器の赤外線センサの取り付け位置を示す図
【図３】本発明の実施の形態１における誘導加熱調理器の角度変更手段の構成を示す図
【図４】本発明の実施の形態２における誘導加熱調理器の赤外線センサの取り付け位置を示す図
【図５】本発明の実施の形態３における誘導加熱調理器の表示手段、照度検知手段の構成を示す図
【図６】従来の誘導加熱調理器の全体構成図
【発明を実施するための形態】
【００１２】
第１の発明は、機器の外郭を構成する本体と、前記本体の上面に配置される鍋を載置するトッププレートと、前記トッププレートの下方に配置され前記鍋を加熱する加熱コイルと、前記加熱コイルに高周波電流を供給するインバータ回路と、前記インバータ回路の出力を制御する制御手段と、前記インバータ回路動作の開始や停止、出力レベルの変更を行うための操作手段と、現在のインバータ回路の出力レベルを表示する表示手段と、垂直方向の高さが検知可能な使用者の身長を検知する高さ検知手段と、前記高さ検知手段の検知結果に応じて、前記表示手段の角度を変更する角度変更手段とを備えることにより、使用者の身長や立ち位置に合わせて見やすい角度にて表示させることができるため、使用者にとって表示が見やすく使い勝手の良い誘導加熱調理器とすることができる。
【００１３】
第２の発明は、特に、第１の発明の高さ検知手段を本体前面に配置された赤外線センサにより構成し、床面から所定の高さ以上の人体による赤外線に反応する構成とすることにより、使用者の身長や立ち位置に合わせて見やすい角度にて表示させることができるため、使用者にとって表示が見やすく使い勝手の良い誘導加熱調理器を提供することができる。
【００１４】
第３の発明は、特に、第１または第２の発明の高さ検知手段を本体前面に配置された複数の赤外線センサにより構成し、床面から所定の高さ以上の人体による赤外線に反応する赤外線センサＡと、床面から所定の高さ以下の人体による赤外線に反応する赤外線センサＢとから構成することにより、所定高さ以上の人体が近づいた場合には赤外線センサＡと赤外線センサＢの両方で人体を検知でき、所定高さ以上の人体が近づいている場合は表示部の角度を角度変更手段にて、最適な角度に変更することができる。
【００１５】
一方で、所定高さ以下の人体が接近した場合は、赤外線センサＢのみが人体を検知するため、所定高さ以下が近づいていることを認識することができ、それに応じて表示部の角度を角度変更手段にて、最適な角度に変更することができる。
【００１６】
さらに赤外線センサＡ、Ｂ共に検知していない状態で、操作手段を操作された場合、所
定の高さ以下（子供）が近づき機器を操作したことを検知できるため、操作を無効にすることでき、使用者にとって使い勝手が良く、安全な誘導加熱調理器を提供することができる。
【００１７】
第４の発明は、特に、第１の発明の表示手段に液晶と、前記液晶を透過させ見やすく光らせるバックライトと、本体前面に本体周辺の明るさを検知する照度センサからなる照度検知手段を備え、明るさに応じて表示手段のバックライトの明るさを変更する構成とすることで使用者の身長や立ち位置に合わせて見やすい角度にて表示させるとともに、表示部の明るさを変更することができるため、使用者にとって表示が見やすく使い勝手の良い誘導加熱調理器を提供することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における誘導加熱調理器のブロック図を示すものである。
【００２０】
図１において、機器の外郭を構成する本体１と、前記本体１の上面に配置される鍋２を載置するトッププレート３と、前記トッププレート３の下方に配置され、前記鍋２を加熱する加熱コイル４を備え、インバータ回路５は商用電源から供給された交流電源を直流に変換する整流回路（図示せず）を備えており、その整流回路により直流に変換された直流電源を高周波電流に変換し、前記加熱コイル４に供給する。
【００２１】
前記加熱コイル４に高周波電流が供給されると交番磁界が発生し、前記加熱コイル４の上方に配置された金属製の前記鍋２の底面に渦電流を発生させ、渦電流によるジュール熱を利用し、前記鍋２を加熱することができる。
【００２２】
制御手段６は、前記インバータ回路５の動作の開始や停止、出力レベルの変更を行うための操作手段７と、現在の前記インバータ回路５の出力レベルを表示する表示手段８により、使用者が設定した設定火力に応じて、前記インバータ回路５の出力を制御する。本実施の形態の前記制御手段６はマイクロコンピュータにて構成している。
【００２３】
高さ検知手段９は、本体前面に取り付けられた人体から発せられる赤外線を検知し出力する赤外線センサ１０で構成され、垂直方向の高さが検知可能な使用者の身長を検知することができる。
【００２４】
なお、本実施の形態では赤外線センサ１０を受動型の赤外線センサを使用し、人体から発せられる赤外線の変化により、人体の有無を出力するセンサを使用するとするが、赤外線を発する赤外ＬＥＤと赤外線を受光する受光素子の組み合わせによるアクティブセンサにより構成してもよい。
【００２５】
角度変更手段１１は、前記高さ検知手段９の検知結果に応じて、前記表示手段８の角度を変更することができる。
【００２６】
図２は、本発明の第１の実施の形態における誘導加熱調理器の赤外線センサの取り付け位置を示す図である。図２において、本実施の形態における赤外線センサについて説明する。図２（ａ）の点線で囲まれたエリアは、赤外線センサ１０が人体を検知することができる検知可能エリア１２である。
【００２７】
本実施の形態では、赤外線センサ１０に焦電素子を用いたパッシブ型の赤外線センサを用いる。検知可能エリア１２内の背景から得られる赤外線に対し、検知可能エリア１２内に人体が進入すると、人体から発せられる赤外線により、背景と差が生じ人体を検知することができる。
【００２８】
なお、人体が検知可能エリア１２内で、完全に停止している場合は、赤外線の差分を得ることができないため人体を検知することはできないが、一般的に使用者が調理中の場合、使用者は動作しているため問題とならない。
【００２９】
図２（ｂ）は、本実施の形態における赤外線センサ１０と遮光板１３を示し、遮光板１３は、赤外線の透過率が低い部材で構成し、垂直方向下方に取り付けている。これにより検知可能エリア１２の下方が遮られた状態となる。図２（ｃ）は、本体１に取り付けた状態を表し、本体１を設置する調理台１４の下面（床面）から検知可能エリア１２までの高さｈ（本実施の形態では１６０ｃｍ）が、高さ検知手段９により人体を検知できるかどうかの閾値となる。
【００３０】
高さｈより身長が低い人体が近づいても高さ検知手段９は人体を検知することができない。また、高さｈより身長が高い人体が近づいた場合は、高さ検知手段９は人体を検知し、使用者が近づいたことを検知する。
【００３１】
なお、本実施の形態では高さｈを女性の平均身長により１６０ｃｍとしたが、これに限られるものではなく遮光板の取り付け方向により調整することができる。
【００３２】
図３は、本発明の第１の実施の形態における誘導加熱調理器の角度変更手段の構成を示す図である。図３において、本実施の形態における角度変更手段１１について説明する。図３（ａ）に示すように、表示手段８の前方下方に角度変更手段１１が取り付けられており、通常赤外線センサにて検知しない初期状態では、使用者すなわち女性の平均身長に合わせた状態にて略前面に傾斜した形で保持されている。
【００３３】
赤外線センサ１０が高さｈより身長の高い人体を検知した場合、図３（ｂ）に示すように、角度変更手段１１により前記表示手段８の前方を持ち上げ、見やすい角度に調整される。図３（ｃ）は、赤外線センサ１０の検知結果に応じた角度変更手段１１の動作状態を示す表である。赤外線センサ１０出力が、Ｌの時は角度変更手段１１動作は、非動作となり、赤外線センサ１０出力が、Ｈの時は角度変更手段１１動作は、動作状態となる。
【００３４】
なお、本実施の形態では、角度変更手段１１を表示手段８の前方下方に設置し、表示手段８の後方を支点として角度調整を行う構成に限定するものではなく、角度変更手段１１を表示手段８の後方下方に設置し、表示手段８の前方を支点として角度調整しても、あるいは角度変更手段１１を表示手段８の中心下方に設置し、表示手段８の中心を支点に角度調整を行う構成としても構わない。
【００３５】
これにより、表示部を使用者の身長や立ち位置に合わせて見やすい角度で表示させることができるため、使用者にとって表示が見やすく使い勝手の良い誘導加熱調理器を提供することができる。
【００３６】
（実施の形態２）
図４は、本発明の第２の実施の形態における誘導加熱調理器の赤外線センサの取り付け位置を示す図である。なお、実施の形態１と同じ構成については説明を省略する。
【００３７】
図４（ａ）において、複数の赤外線センサ１０による高さ検知手段９について説明する
。赤外線センサ１０Ａと赤外線センサ１０Ｂの間に赤外線の透過率が低い部材で構成された遮光板１３を設置して構成している。これにより、赤外線センサ１０Ａの検知可能エリア１２Ａと赤外線センサ１０Ｂの検知可能エリア１２Ｂを高さｈ（本実施の形態では１６０ｃｍとする）で分けることができる。
【００３８】
以上のように構成された誘導加熱調理器について、以下その動作、作用を説明する。
【００３９】
図４（ｂ）は赤外線センサ１０の検知結果に応じた角度変更手段１１（図３）の動作状態を示す表である。図４（ｂ）において、赤外線センサ１０Ａと赤外線センサ１０Ｂが共に人体を検知していない場合（図４（ｂ）状態１）でかつ、操作手段７への入力がない場合には、高さ検知手段９は人体なしと判断し、角度調整手段１１を非動作とする。操作手段７による操作は有効、無効どちらでも構わない。
【００４０】
赤外線センサ１０Ａと赤外線センサ１０Ｂが共に人体を検知していない場合でかつ、操作手段７への入力があった場合には、高さ検知手段９は子供であると判断し、操作手段７による操作を無効とする。
【００４１】
赤外線センサ１０Ｂが人体を検知し、赤外線センサ１０Ａが人体を検知しなかった場合（図４（ｂ）状態２）は、高さ検知手段９は高さｈ以下の人体を検知し、大人であると判断し、操作手段７による操作を有効とし、角度調整手段１１を非動作とする。
【００４２】
赤外線センサ１０Ａが人体を検知した場合（図４（ｂ）状態３）には、赤外線センサ１０Ｂの検知結果に関わらず、高さ検知手段９は高さｈ以上の人体を検知し、大人であると判断し、操作手段７による操作を有効とし、角度調整手段１１を動作させる。
【００４３】
なお、本実施の形態では赤外線センサ１０Ａが人体を検知し、赤外線センサ１０Ｂが人体を検知するしないに関わらず大人であると判断するとした（図４（ｂ）状態３）が、高いところだけに人体の移動が現れることは、下半身の移動がない場合などに考えられるが、複数回確認し、赤外線センサ１０Ｂでも人体を検知した場合に、操作手段７の操作を有効にするようにしてもよい。
【００４４】
これにより、使用者の身長や立ち位置に合わせて見やすい角度にて表示させることができるため、使用者にとって表示が見やすく使い勝手の良い誘導加熱調理器を提供することができると共に、高さ検知手段９にて大人か子供を判別し、子供を検知した場合は操作を無効とすることで、使用者にとって安全で使い勝手の良い誘導加熱調理器を提供することができる。
【００４５】
（実施の形態３）
図５は、本発明の第３の実施の形態における誘導加熱調理器の表示手段、照度検知手段の構成を示す図である。なお、実施の形態１と同じ構成については説明を省略する。
【００４６】
図５（ａ）において、表示手段８は、機器の状態を表示する液晶１５と、バックライト１６とから構成されており、バックライト１６が点灯することにより、前記液晶１５を透過させ、液晶１５の表示（文字や絵など）を使用者に見やすくしている。
【００４７】
また、図５（ｂ）に示すように、本体１前面に、本体周辺の明るさを検知する照度センサ１７からなる照度検知手段１８を備えた構成にしている。
【００４８】
以上のように構成された誘導加熱調理器について、以下その動作、作用を説明する。
【００４９】
まず、周囲の明るさがある閾値よりも暗いと照度検知手段１８が判断した場合、バックライト１６の照度をある値まで上げ、より明るく点灯させる。逆に周囲の明るさがある閾値よりも明るいと照度検知手段１８が判断した場合、バックライト１６の照度をある値まで下げ、より暗く点灯させる。
【００５０】
これにより、機器の周辺の明るさに応じて、バックライト１６の明るさを調整することができ、かつ使用者の身長や立ち位置に合わせて見やすい角度にて表示させることができるため、使用者にとって表示が見やすく、使い勝手の良い誘導加熱調理器を提供することができる。
【産業上の利用可能性】
【００５１】
以上のように、本発明にかかる誘導加熱調理器は、高さ検知手段により、使用者の身長や立ち位置に合わせて表示手段を見やすい角度にて表示させることができるため、使用者にとって表示が見やすく使い勝手の良い調理器となるので、その他の加熱調理器等の用途にも有効である。
【符号の説明】
【００５２】
１  本体
２  鍋
３  トッププレート
４  加熱コイル
５  インバータ回路
６  制御手段
７  操作手段
８  表示手段
９  高さ検知手段
１０  赤外線センサ
１１  角度変更手段
１３  遮光板
１４  調理台
１５  液晶
１６  バックライト
１７  照度センサ
１８  照度検知手段
【図１】
2010267478.tif 000003
【図２】
2010267478.tif 000004
【図３】
2010267478.tif 000005
【図４】
2010267478.tif 000006
【図５】
2010267478.tif 000007
【図６】
2010267478.tif 000008